(57)【要約】【課題】タブレットが容器の内側面と衝突してわれが生じたり、耳障りな音が生じるのを回避できると共に、このような衝突や音を緩和する機構を容易に形成できるタブレット容器を提供する。【解決手段】底面板１５と側面板１６とからなるケース本体１２と、ケース本体１２の上面開口１２ａを覆うと共にケース本体１２に対してスライドすることにより上面開口１２ａの一部を取出し口１４として開口させる蓋板１７を備える蓋部１３とを含み、タブレット１１を収容する合成樹脂製の容器１０であって、蓋板１７は、底面板１５との間に、タブレット１１の厚さｔにタブレット１１の厚さｔより小さなクリアランスｃを加えた間隔ｓを保持して設けられ、底面板１５の周縁部分には、ケース本体１２と一体成形されることにより側面板１６から間隔をおいて立設する多数の薄板状の突起１８が、周縁部分の周方向に間隔をおいて全周に亘って設けられている。【選択図】図２
2008133000.tif 000002
【特許請求の範囲】
【請求項１】
底面板と該底面板の周縁から立設する側面板とからなるケース本体と、少なくとも該ケース本体の上面開口を覆う蓋板を備える蓋部とを含み、厚板状の錠剤を収容する合成樹脂製のタブレット容器であって、
前記蓋板と前記底面板とは、前記錠剤の厚さに前記錠剤の厚さより小さなクリアランスを加えた間隔を保持して配設され、
且つ、前記底面板の周縁部分には、前記ケース本体と一体成形されることにより前記側面板から間隔をおいて立設する多数の緩衝突起が、前記周縁部分の周方向に間隔をおいて全周に亘って設けられているタブレット容器。
【請求項２】
前記蓋部が、前記ケース本体に対してスライドすることで前記上面開口の一部を取出し口として開口可能とする蓋板を備える請求項１記載のタブレット容器。
【請求項３】
前記クリアランスが３ｍｍ以下である請求項１又は２記載のタブレット容器。
【請求項４】
前記底面板の周縁部分から立設する多数の緩衝突起が、前記側面板と平行に配置された薄板状の突起である請求項１〜３のいずれかに記載のタブレット容器。
【請求項５】
前記ケース本体は、前記蓋部よりも軟質の合成樹脂材料によって形成される請求項１〜４のいずれかに記載のタブレット容器。
【発明の詳細な説明】
【技術分野】
【０００１】
本発明は、タブレット容器に関し、特に、厚板状の錠剤を収容する合成樹脂製のタブレット容器に関する。
【背景技術】
【０００２】
円形、三角形、四角形等の平面形状を有する厚板状の錠剤は、いわゆるタブレットとして知られており、例えば薬品類や菓子類を口に入れやすい形態の固形物として提供できるようにするものである。また、タブレットを収容するタブレット容器としては、例えばタブレットを積み重ねた状態で収容する細長い筒状の容器や、タブレットを積み重ねることなく縦横に並べた状態で収容する薄い箱状の容器が用いられる（例えば、特許文献１参照）。さらに、タブレットを積み重ねた状態で収容する容器については、タブレットの残量が少なくなった場合でも、タブレット同士が衝突して割れてしまうといった不都合を解消できるようにしたタブレット容器も開発されている（例えば、特許文献２参照）。
【特許文献１】特開２００５−４７６２６号公報
【特許文献２】特開２０００−１６８８５７号公報
【発明の開示】
【発明が解決しようとする課題】
【０００３】
一方、厚板状の錠剤（タブレット）を積み重ねることなく縦横に並べた状態で収容するタブレット容器でもまた、特に残量が少なくなった場合に、錠剤が平面方向に移動する長さが長くなるため、例えば容器を落としたり、輸送時や携帯時に容器が振動を受けた際などに、錠剤が容器の内側面と衝突してわれが生じやすくなる。また、錠剤が容器の内側面と衝突する際に例えばカタカタといった耳障りな音が生じやすくなる。
【０００４】
本発明は、収容された厚板状の錠剤の残量が少なくなった場合でも、錠剤が容器の内側面と衝突してわれが生じたり、耳障りな音が生じるのを効果的に回避できると共に、このような衝突や音を緩和する機構を容易に形成することのできるタブレット容器を提供することを目的とする。
【課題を解決するための手段】
【０００５】
本発明は、底面板と該底面板の周縁から立設する側面板とからなるケース本体と、少なくとも該ケース本体の上面開口を覆う蓋板を備える蓋部とを含み、厚板状の錠剤を収容する合成樹脂製のタブレット容器であって、前記蓋板と前記底面板とは、前記錠剤の厚さに前記錠剤の厚さより小さなクリアランスを加えた間隔を保持して配設され、且つ、前記底面板の周縁部分には、前記ケース本体と一体成形されることにより前記側面板から間隔をおいて立設する多数の緩衝突起が、前記周縁部分の周方向に間隔をおいて全周に亘って設けられているタブレット容器を提供することにより、上記目的を達成したものである。
【発明の効果】
【０００６】
本発明のタブレット容器によれば、収容された厚板状の錠剤の残量が少なくなった場合でも、錠剤が容器の内側面と衝突してわれが生じたり、耳障りな音が生じるのを効果的に回避できると共に、このような衝突や音を緩和する機構を容易に形成することができる。
【発明を実施するための最良の形態】
【０００７】
本発明の好ましい一実施形態に係るタブレット容器１０は、図１〜図３に示すように、厚板状の錠剤として例えば円盤形状のタブレット１１を縦横に並べた状態で収容する容器であり、例えばケース本体１２を覆う蓋部１３から指押し部２０を介してケース本体１２を押し出すことによって、ケース本体１２を蓋部１３に対して相対的にスライド移動させ、ケース本体１２の押出し方向Ｘ先端部に設けた取出し口１４から、一粒ずつタブレット１１を取り出せるようにするものである。また本実施形態のタブレット容器１０は、タブレット１１がケース本体１２内側面に衝突する際の衝撃や音を緩和する衝突緩和機構を備えており、これによってタブレット１１が容器の内側面と衝突してわれが生じたり、耳障りな音が生じるのを効果的に回避できるようになっている。
【０００８】
そして、本実施形態のタブレット容器１０は、底面板１５と該底面板１５の周縁から立設する側面板１６とからなるケース本体１２と、少なくともこのケース本体１２の上面開口１２ａを覆う蓋板１７を備える蓋部１３とを含み、タブレット１１を収容する合成樹脂製の容器であって、蓋板１７と底面板１５とは、タブレット１１の厚さｔにタブレット１１の厚さｔより小さなクリアランスｃを加えた間隔ｓを保持して配設され（図４参照）、且つ、底面板１５の周縁部分には、ケース本体１２と一体成形されることにより側面板１６から間隔をおいて立設する多数の緩衝突起１８が、周縁部分の周方向に間隔をおいて全周に亘って設けられている。
【０００９】
また、本実施形態では、蓋部１３は、ケース本体１２に対してスライドすることで上面開口１２ａの一部を取出し口１４として開口可能とする蓋板１７を備えている。
る
【００１０】
さらに、本実施形態では、ケース本体１２の押出し方向Ｘ先端部分に、指押し部２０が接合された取出し口形成カバー１９が嵌合装着されており（図２、図３参照）、ケース本体１２は、この取出し口形成カバー１９と一体となって、蓋板１７の上面に突出する指押し部２０を介した操作によって、蓋部１３に対して押出し方向Ｘに進退スライドできるようになっている。
【００１１】
タブレット容器１０を構成するケース本体１２及び蓋部１３は、ポリプロピレン等からなる合成樹脂を用いて形成される。好ましくは、ケース本体１２は蓋部１３の構成材料よりも軟質の合成樹脂からなり、例えば金型を用いた射出成形によって、衝突緩和機構としての多数の緩衝突起１８を含めて容易に一体成形される。ケース本体１２は、例えば幅３５ｍｍ、長さ８０ｍｍ程度の大きさの縦長矩形形状の底面板１５の周縁から、例えば６ｍｍ程度の高さの側面板１６を全周に亘って連続して立設することにより、矩形皿状の収容凹部を形成する。また、底面板１５の各長辺部分に沿った側面板１６の押出し方向Ｘ先端部分の外側面には、滑止め凹凸部２１が各々設けられる。この滑止め凹凸部２１に指を押し当てつつ、各側面板１６の外側から挟み込むようにしながらケース本体１２を把持することにより、この滑止め凹凸部２１を介した操作によっても、ケース本体１２を蓋部１３に対して押出し方向Ｘに進退スライドできるようになっている。さらに、底面板１５には、蓋部１３に設けたストッパーリブ（図示せず）を遊嵌係止して、ケース本体１２の押出し方向Ｘへのスライド移動を安定化させると共に、ケース本体１２の蓋部１３からの押出し量を規制するガイドストッパー溝２２（図３参照）が形成されている。
【００１２】
そして、本実施形態では、ケース本体１２の底面板１５の周縁部分には、側面板１６から間隔をおいて立設する多数の緩衝突起１８が、周縁部分の周方向に間隔をおいて全周に亘って設けられる。緩衝突起１８は、各々、例えば幅２〜１０ｍｍ、高さ４〜７ｍｍ程度の矩形形状を有する薄板状の突起であって、底面板１５から片持ち梁状に立設することにより、その弾性によって板バネとして機能し、タブレット１１が衝突する際の衝撃を効果的に吸収緩和する。またこれらの薄板状の緩衝突起１８は、各々側面板と平行に配置されると共に、例えば２〜５mm程度の間隔をおいて、底面板１５の周縁部分の周方向に連設して設けられる。
【００１３】
蓋部１３は、上面板１３ａと底面板１３ｂと一対の側面板１３ｃとからなる扁平な中空箱体であり、ケース本体１２を摺動可能に挿入できる横長の矩形断面形状の貫通開口を備える（図２参照）。また上面板１３ａは、ケース本体１２の上面開口１２ａを覆う蓋板１７を構成している。蓋板１７には、押出し方向Ｘ先端側の端辺から押出し方向後方に切り込まれたガイド溝２３が形成されており、このガイド溝２３には、後述する取出し口形成カバー１９のガイド突条２５がスライド可能に係止される。さらに、一対の側面板１３ｃの押出し方向Ｘ先端側の部分は切欠き部２４となっており、この切欠き部２４には、中空箱体（蓋部）１３に対してケース本体１２を後退させた際に、ケース本体１２の側面板１６に設けた滑止め凹凸部２１が収まるようになっている。
【００１４】
取出し口形成カバー１９は、ケース本体１２とは別部品として形成される、好ましくはケース本体１２と同様のポリプロピレンからなる合成樹脂成形品であって、図３に示すように、ケース本体１２の先端部分の形状と略合致する平面矩形形状の天面板１９ａと、天板部１９ａの一方の長辺部を除いて周縁部分から下方に突出することにより、コの字形状に設けられた側面板１９ｂとからなる。側面板１９ｂの外周面をケース本体１２の先端部分の内周面に密着させるようにしつつ、取出し口形成カバー１９をケース本体１２の先端部分に押し込むことにより、取出し口形成カバー１９は、ケース本体１２の押出し方向Ｘ先端部分に着脱可能に嵌合装着されて、ケース本体１２と一体としてスライド移動する。
【００１５】
また、取出し口形成カバー１９の天面板１９ａの片側半分の部分には、当該天面板１９ａを切り抜いて、略正方形の取出し口１４が開口形成されており、この取出し口１４からケース本体１２に収容されたタブレット１１を一つ一つ取り出すことができるようになっている。さらに、天面板１９ａの取出し口１４に隣接する中央よりもやや片寄った位置には、押出し方向Ｘに延設するガイド突条２５が設けられており、ガイド突条２５の押出し方向Ｘの後端部分には、ガイド突条２５の上面に接合されて、楕円形状の指押し部２０が例えば１．５ｍｍ程度の厚さで一体として設けられている。ガイド突条２５は、ケース本体１２に蓋部１３が装着された際に、蓋部１３の蓋板１７に設けられたガイド溝２３にスライド可能に係止され、ケース本体１２を蓋部１３に対して押出し方向Ｘに安定した状態で進退スライドさせることを可能にする。指押し部２０は、ガイド突条２５がガイド溝２３にスライド可能に係止された際に、蓋部１３の蓋板１７の上面から突出して配置され、この指押し部２０を介することにより、ケース本体１２を蓋部１３に対して押出し方向Ｘに進退スライドさせる操作を容易に行うことができるようになっている。
【００１６】
なお、本実施形態では、タブレット１１は、例えば菓子であって、直径１２ｍｍ程度の円形の平面形状を有すると共に、５．５ｍｍ程度の厚さを備える、円盤形状の厚板状の固形物である。
【００１７】
上述の構成を備える本実施形態のタブレット容器１０では、図２に示すように、複数（本実施形態では１２個）のタブレット１１が、ケース本体１２に縦横に並べた状態で配置され、取出し口形成カバー１９を嵌め込むと共に、ケース本体１２を覆って蓋部１３を装着した状態で使用に供される。使用者は、例えばタブレット容器１０を片手で把持し、親指を指押し部２０に押し付けて押出し方向Ｘの前方に押出すことにより、ケース本体１２を蓋部１３に対して相対的にスライド移動させ、蓋板１７の前方において開口した取出し口１４から、一つ一つタブレット１１を取り出す（図１参照）。またタブレット１１を必要数取り出したら、親指を指押し部２０に押し付けて押出し方向Ｘの後方に引き戻すことにより、取出し口１４を閉塞して、携帯等に供される。
【００１８】
そして、本実施形態のタブレット容器１０によれば、収容されたタブレット（厚板状の錠剤）１１の残量が少なくなった場合でも、携帯時等においてタブレット１１が容器１０の内側面と衝突してわれが生じたり、耳障りな音が生じるのを効果的に回避できると共に、このような衝突や音を緩和する機構を容易に形成することが可能になる。
【００１９】
すなわち、本実施形態によれば、タブレット１１の容器１０の内側面との衝突を緩和する衝突緩和機構は、ケース本体１２の底面板１５の周縁部分から立設して、周縁部分の周方向に間隔をおいて全周に亘って設けられた多数の緩衝突起１８からなり、これらの緩衝突起１８は、ケース本体１２の上面開口１２ａを介して金型を抜くことにより、ケース本体１２と容易に一体成形できるので、このような衝突緩和機構を容易に設けることが可能になる。また、ケース本体１２の側面板１６から間隔をおいて立設配置される多数の緩衝突起１８は、底面板１５から片持ち梁状に立設して板バネとして機能し、タブレット１１が衝突する際の衝撃を効果的に吸収緩和するので、収容されたタブレット１１の残量が少なくなって平面方向に移動する長さが長くなった場合でも、容器１０の携帯時等に収容されたタブレット１１にわれが生じたり、カタカタといった耳障りな音が生じるのを効果的に回避することが可能になる。
【００２０】
また、本実施形態によれば、蓋板１７は、底面板１５との間に、タブレット１１の厚さｔにタブレット１１の厚さｔより小さなクリアランスｃを加えた間隔ｓを保持して設けられているので、タブレット１１の上下方向の移動を抑制して、われや音の発生をさらに効果的に回避することが可能になると共に、クリアランスｃを３ｍｍ以下、好ましくは０．２〜２．５ｍｍ、更に好ましくは０．５〜２ｍｍとすることにより、このような効果を一層向上させることが可能になる。ここで、クリアランスｃとタブレット１１の厚さｔとの比ｃ／ｔは、０．５５以下とすることが好ましく、更に０．０３５〜０．４５、特に０．１〜０．３５とすることが好ましい。
【００２１】
さらに、本実施形態によれば、ケース本体１２は、蓋部１３よりも軟質の合成樹脂材料によって形成されているので、容器の強度を保持して、タブレット１１がケース本体１２の内側面と衝突する際の衝撃をより効果的に緩和することが可能になる。
【００２２】
さらにまた、本実施形態によれば、蓋板１７は、底面板１５との間に、タブレット１１の厚さｔにタブレット１１の厚さｔより小さなクリアランスｃを加えた間隔ｓを保持して設けられていることにより、容器１０の内部におけるタブレット１１のスタックが防止され、取出し口１４の付近でタブレット１１が詰まるのを容易に回避することが可能になる。また、ケース本体１２の周縁部分にバネ効果を有する緩衝突起１８が設けられていることにより、例えば容器１０を傾けてタブレット１１を取り出す際に、緩衝突起１８の作用によってタブレット１１は跳ねるようにして振動するので、このうようなタブレット１１の振動によって、取出し口１４の付近におけるタブレット１１のスタックをさらに効果的に回避することが可能になる。
【００２３】
なお、本発明は上記実施形態に限定されることなく種々の変更が可能である。例えば底面板の周縁部分から立設する多数の緩衝突起は、矩形形状の薄板状の突起である必要は必ずしも無く、その他の種々の形状の薄板状の突起の他、ケース本体との一体成形が可能な例えばロッド状や針状の突起等であっても良い。また、ケース本体に取出し口形成カバーを装着して用いる必要は必ずしも無い。さらに、蓋部である蓋板のみがケース本体に対してスライドすることにより上面開口部を取出し口として開口させる構成にしても良いし、蓋部にヒンジ部を設けて蓋板を開くことにより取出し口を開口させる構成にしても良く、ケース本体の上面開口の一部を取出し口として開口させる方式は、特に限定されるものではない。さらにまた、収容される厚板状の錠剤（タブレット）は、円盤形状の錠剤の他、タブレットして知られるその他の種々の平面形状や立体形状を有するものであっても良い。
【図面の簡単な説明】
【００２４】
【図１】本発明の好ましい一実施形態に係るタブレット容器の取出し口とを開口した状態を示す斜視図である。
【図２】本発明の好ましい一実施形態に係るタブレット容器の構成を説明する分解斜視図である。
【図３】ケース本体及び取出し口形成カバーの構成を説明する分解斜視図である。
【図４】錠剤の厚さに錠剤が重ならないクリアランスを加えた蓋板と底面板との間の間隔を説明する部分断面図である。
【符号の説明】
【００２５】
１０  タブレット容器
１１  タブレット（厚板状の錠剤）
１２  ケース本体
１２ａ  ケース本体の上面開口
１３  蓋部
１３ａ  蓋部の上面板
１３ｂ  蓋部の底面板
１３ｃ  蓋部の側面板
１４  取出し口
１５  ケース本体の底面板
１６  ケース本体の側面板
１７  蓋板
１８  薄板状の突起
１９  取出し口形成カバー
２０  指押し部
２１  滑止め凹凸部
２２  ガイドストッパー溝
２３  ガイド溝
２４  切欠き部
２５  ガイド突条
ｔ    タブレット（厚板状の錠剤）の厚さ
ｃ    タブレット（厚板状の錠剤）が重ならないクリアランス
ｓ    蓋板と底面板との間の間隔
Ｘ    押出し方向
【図１】
2008133000.tif 000003
【図２】
2008133000.tif 000004
【図３】
2008133000.tif 000005
【図４】
2008133000.tif 000006